(57)【要約】【課題】本発明が解決しようとする課題は、ＲＦＩＤリーダと携帯端末のいずれかのバッテリーが消耗して残量が所定値以下になっても、動作を継続可能なＩＣタグ読取装置、情報処理装置およびプログラムを提供することである。【解決手段】実施形態のＩＣタグ読取装置は、情報処理装置を装着する装着部と、バッテリーと、前記バッテリーの充電残量が所定値以下の場合、前記装着部に装着された前記情報処理装置から前記バッテリーに充電する電力の供給を受ける第１電力受給手段と、を備える。【選択図】図４
2016040982.tif 000002
【特許請求の範囲】
【請求項１】
情報処理装置を装着する装着部と、
バッテリーと、
前記バッテリーの充電残量が所定値以下の場合、前記装着部に装着された前記情報処理装置から前記バッテリーに充電する電力の供給を受ける第１電力受給手段と、
を備えるＩＣタグ読取装置。
【請求項２】
情報処理装置を装着する装着部と、
バッテリーと、
前記バッテリーの充電状態が所定値以下の場合、前記装着部に装着された前記情報処理装置から前記バッテリーの充電を促すメッセージを表示する第１表示手段と、
を備えたＩＣタグ読取装置。
【請求項３】
前記バッテリーの充電状態が所定値以上である場合、前記装着部に装着された前記情報処理装置からの電力供給要求に対して前記情報処理装置に前記電力を供給する第１電力供給手段、
をさらに備えた請求項１または２に記載のＩＣタグ読取装置。
【請求項４】
ＩＣタグ読取装置に装着可能な情報処理装置であって、
バッテリーと、
前記バッテリーの充電残量が所定値以下の場合、前記ＩＣタグ読取装置から前記バッテリーに充電する電力の供給を受ける第２電力受給手段と、
を備える情報処理装置。
【請求項５】
ＩＣタグ読取装置に装着可能な情報処理装置であって、
バッテリーと、
前記バッテリーの充電状態が所定値以下の場合、前記ＩＣタグ読取装置から前記バッテリーの充電を促すメッセージを表示する第２表示手段と、
を備えた情報処理装置。
【請求項６】
前記バッテリーの充電状態が所定値以上である場合、前記ＩＣタグ読取装置からの電力供給要求に対して前記ＩＣタグ読取装置に前記電力を供給する第２電力供給手段、
をさらに備えた請求項４または５に記載の情報処理装置。
【発明の詳細な説明】
【技術分野】
【０００１】
本発明の実施形態は、ＩＣタグ読取装置および情報処理装置に関する。
【背景技術】
【０００２】
近年、衣料品店等の店舗において、店舗の運営者は、ＲＦＩＤ（Radio  Frequency  Identification）リーダを用いて、商品に付されたＩＣ（Integrated  Circuit）タグに記憶された商品情報等を読み取り、店舗における商品の在庫状況を管理する在庫管理や売れ筋商品を把握するロケーション管理等を行っている。
【０００３】
このような在庫管理やロケーション管理にはハンディ型のＲＦＩＤリーダが用いられる。ハンディ型のＲＦＩＤリーダは、操作性や軽量化のため、大きな表示部は搭載されていないことが多い。そのため、大きな表示部を有するスマートフォンやＰＤＡ（Personal  Digital  Assistant）等の情報処理装置をＲＦＩＤリーダに装着して、ＲＦＩＤリーダによるＩＣタグの読取状況を情報処理装置の表示部に表示することがある。
【０００４】
ところで、このようなハンディ型のＲＦＩＤリーダや情報処理装置は、それぞれがバッテリーを搭載しており、それぞれに搭載されたバッテリーで動作している。そのため、どちらかの機器のバッテリーが消耗して充電残量が所定値以下になると、当該装置は動作不能となる。このような場合、他の機器のバッテリーが充分充電されている状態でも、当該装置のバッテリーを充電するまで、上記管理業務を中断せざるを得ない場合がある。
【発明の概要】
【発明が解決しようとする課題】
【０００５】
本発明が解決しようとする課題は、ＲＦＩＤリーダと携帯端末のいずれかのバッテリーが消耗して残量が所定値以下になっても、動作を継続可能なＩＣタグ読取装置および情報処理装置を提供することである。
【課題を解決するための手段】
【０００６】
実施形態のＩＣタグ読取装置は、情報処理装置を装着する装着部と、バッテリーと、前記バッテリーの充電残量が所定値以下の場合、前記装着部に装着された前記情報処理装置から前記バッテリーに充電する電力の供給を受ける第１電力受給手段と、を備える。
【０００７】
実施形態のＩＣタグ読取装置は、情報処理装置を装着する装着部と、バッテリーと、前記バッテリーの充電状態が所定値以下の場合、前記装着部に装着された前記情報処理装置から前記バッテリーの充電を促すメッセージを表示する第１表示手段、を備える。
【０００８】
実施形態の情報処理装置は、ＩＣタグ読取装置に装着可能であって、バッテリーと、前記バッテリーの充電残量が所定値以下の場合、前記ＩＣタグ読取装置から前記バッテリーに充電する電力の供給を受ける第２電力受給手段と、を備える。
【０００９】
実施形態の情報処理装置は、ＩＣタグ読取装置に装着可能であって、バッテリーと、前記バッテリーの充電状態が所定値以下の場合、前記ＩＣタグ読取装置から前記バッテリーの充電を促すメッセージを表示する第２表示手段、を備える。
【図面の簡単な説明】
【００１０】
【図１】図１は、携帯端末を装着したＲＦＩＤ読取装置の外観を示す側面図である。
【図２】図２は、ＲＦＩＤ読取装置および携帯端末のハードウェア構成を示すブロック図である。
【図３】図３は、ＲＦＩＤ読取装置のメモリ構成を示すメモリマップである。
【図４】図４は、携帯端末のメモリ構成を示すメモリマップである。
【図５】図５は、ＲＦＩＤ読取装置の機能構成を示す機能ブロック図である。
【図６】図６は、ＲＦＩＤ読取装置の制御処理を示すフローチャートである。
【図７】図７は、ＲＦＩＤ読取装置の制御処理の一部を示すフローチャートである。
【図８】図８は、携帯端末の機能構成を示す機能ブロック図である。
【図９】図９は、携帯端末の制御処理を示すフローチャートである。
【発明を実施するための形態】
【００１１】
以下、図１〜図９を参照して、実施形態のＩＣタグ読取装置、情報処理装置およびプログラムを詳細に説明する。なお、以下の実施形態では、ＩＣタグ読取装置としてハンディ型のＲＦＩＤリーダライタを用いて説明するが、以下に説明する実施形態によりこの発明が限定されるものではない。また、実施形態では、情報処理装置として携帯端末を用いて説明するが、以下に説明する実施形態によりこの発明が限定されるものではない。また、実施形態では、店舗の例として、衣料品等を販売するアパレルショップの説明をするが、他の商品を販売する店舗であってもよい。なお、携帯端末は、例えばスマートフォン、携帯電話、ＰＤＡ（Personal  Digital  Assistant）等である。
【００１２】
図１は、実施形態に係るＲＦＩＤリーダライタ１を側面から見た側面図である。図１において、ＲＦＩＤリーダライタ１は、本体部２と、グリップ部４と、載置部６で構成されている。本体部２は、電源や回路が配置されている。また、本体部２は、略四角形の平面状のアンテナ３を内蔵している。操作者が操作時に握るグリップ部４は本体部２に対し後ろ側に配置される。
【００１３】
トリガスイッチ５はグリップ部４に設けられている。トリガスイッチ５をオンすると、アンテナ３から電波を放射する。操作者がトリガスイッチ５をオフすると、アンテナ３から電波を停止する。操作者が、グリップ部４を握りながらトリガスイッチ５をオンすると、ＲＦＩＤリーダライタ１は、アンテナ３から電波を放射する。操作者がトリガスイッチ５をオフすると、ＲＦＩＤリーダライタ１は、アンテナ３からの電波の放射を停止する。
【００１４】
載置部６は、本体部２とグリップ部４の間に設けられている。載置部６は本体部２と連結している。載置部６はグリップ部４と連結している。載置部６は、一対の保持部７を備えている。保持部７は、載置部６に載置された携帯端末８の上方と下方を着脱可能に固定して保持する。保持部７に保持された携帯端末８は、ＲＦＩＤリーダライタ１を操作する操作者が直視できる方向に表示部８２（図２を参照）を向けて保持される。
【００１５】
図２は、ＲＦＩＤリーダライタ１および携帯端末８のハードウェア構成を示すブロック図である。図２において、ＲＦＩＤリーダライタ１は、制御主体となるＣＰＵ２１、各種プログラムを記憶するＲＯＭ２２、各種データを展開するＲＡＭ２３、各種プログラムを記憶するメモリ部２０等を備えている。ＣＰＵ２１、ＲＯＭ２２、ＲＡＭ２３、メモリ部２０は、互いにデータバス（図示せず）を介して接続されている。ＣＰＵ２１とＲＯＭ２２とＲＡＭ２３が、制御部１１を構成する。すなわち、制御部１１は、ＣＰＵ２１がＲＯＭ２２やメモリ部２０に記憶されＲＡＭ２３に展開された制御プログラムに従って動作することによって、後述する制御処理を実行する。
【００１６】
メモリ部２０は、電源を切っても記憶情報が保持されるＨＤＤやフラッシュメモリ等の不揮発性メモリで構成され、制御プログラムを含むプログラム等を記憶する。
【００１７】
また、制御部１１は、表示部１２、入力部１３、無線通信部１４、放射受信部１５、バッテリー制御部１６、トリガスイッチ５を、データバスを介して接続している。
【００１８】
表示部１２は、例えば液晶パネル等で形成されており、操作者に対して各種の情報を表示する。入力部１３は、例えばキーボードで形成されており、種々の情報を入力する。無線通信部１４は、携帯端末８の無線通信部８４と通信を行う。制御部１１の制御の指令に応動して、無線通信部１４は、バッテリー残量情報を含む各種情報を無線通信部８４との間で送受信する。
【００１９】
放射受信部１５は、アンテナ３を有し、例えば、棚に陳列された商品に付されたＩＣ（Integrated  Circuit）タグに向けて、ＩＣタグに記憶された情報を読み取るための電波をアンテナ３から放射する。放射された電波を受信したＩＣタグは、当該ＩＣタグを識別するＩＣタグ識別情報や商品に関する商品情報等を含むＩＣタグ情報を応答電波に乗せて送信する。放射受信部１５は、は、ＩＣタグから送信されたＩＣタグ情報を受信してＲＡＭ２３やメモリ２０に記憶する。
【００２０】
バッテリー１７は、ＲＦＩＤリーダライタ１の各部に電力を供給し、当該各部を電気的に動作させる。
【００２１】
バッテリー制御部１６は、制御部１１の指令に応動して、バッテリー１７のバッテリーの充電残量を検出する。またバッテリー制御部１６は、制御部１１の指令に応動して、電力出力接続部１８と携帯端末８の電力入力接続部８８とを接続した状態で、電力出力接続部１８に対し、バッテリー１７にチャージされている電力を供給させる。
【００２２】
また、バッテリー制御部１６は、制御部１１の指令に応動して、電力入力接続部１９と携帯端末８の電力出力接続部８９とを接続した状態で、携帯端末８から電力入力接続部１９に受給した電力をバッテリー１７にチャージする。
【００２３】
なお、電力出力接続部１８と電力入力接続部８８との電気的接続、および電力入力接続部１９と電力出力接続部８９との電気的接続は、ＲＦＩＤリーダライタ１と保持部７に保持された携帯端末８との間で行われる。ＲＦＩＤリーダライタ１と携帯端末８との電気的接続は、例えば公知の電磁誘導技術を用いて、ＲＦＩＤリーダライタ１と携帯端末８とが非接触状態で行われる。なお、電力出力接続部１８と電力入力接続部８８とを有線ケーブルを用いて電気的に接続してもよい。同様に、電力入力接続部１９と電力出力接続部８９とを有線ケーブルを用いて電気的に接続してもよい。
【００２４】
また、図２において、携帯端末８は、制御主体となるＣＰＵ９１、各種プログラムを記憶するＲＯＭ９２、各種データを展開するＲＡＭ９３、各種プログラムを記憶するメモリ部９０等を備えており、ＣＰＵ９１、ＲＯＭ９２、ＲＡＭ９３、メモリ部９０は、互いにデータバス（図示せず）を介して接続されている。ＣＰＵ９１とＲＯＭ９２とＲＡＭ９３が、制御部８１を構成する。すなわち、制御部８１は、ＣＰＵ９１がＲＯＭ９２やメモリ部９０に記憶されＲＡＭ９３に展開された制御プログラムに従って動作することによって、後述する制御処理を実行する。
【００２５】
メモリ部９０は、電源を切っても記憶情報が保持されるＨＤＤやフラッシュメモリ等の不揮発性メモリで構成され、制御プログラムを含むプログラム等を記憶する。
【００２６】
また、制御部８１は、表示部８２、入力部８３、無線通信部８４、無線通信部８５、バッテリー制御部８６を、データバスを介して接続している。
【００２７】
表示部８２は、例えば液晶パネル等で形成されており、操作者に対して各種の情報を表示する。入力部８３は、例えばタッチ式のキーボードで形成されており、種々の情報を入力する。無線通信部８４は、ＲＦＩＤリーダライタ１の無線通信部１４と通信を行う。制御部８１の制御の指令に応動して、無線通信部８４は、バッテリー残量情報を含む各種情報を無線通信部１４との間で送受信する。
【００２８】
無線通信部８５は、外部装置（図示せず）と種々の情報を送受信する。バッテリー８７は、携帯端末８の各部に電力を供給し、当該各部を電気的に動作させる。
【００２９】
バッテリー制御部８６は、制御部８１の指令に応動して、バッテリー８７のバッテリー残量を検出する。またバッテリー制御部８６は、制御部８１の指令に応動して、電力出力接続部８９とＲＦＩＤリーダライタ１の電力入力接続部１９とを電気的に接続した状態で、電力出力接続部８９に対しバッテリー８７にチャージされている電力を供給させる。
【００３０】
また、バッテリー制御部８６は、制御部８１の指令に応動して、電力入力接続部８８とＲＦＩＤリーダライタ１の電力出力接続部１８とを接続した状態で、ＲＦＩＤリーダライタ１から受給した電力をバッテリー８７にチャージする。
【００３１】
次に図３を用いて、ＲＦＩＤリーダライタ１におけるメモリ２０のメモリ構成を示すメモリマップについて説明する。図３において、メモリ２０は、第１所定量部２０１と第２所定量部２０２を有する。第１所定量部２０１は、ＩＣタグへの電波の放射やＩＣタグからの情報の読取るために、ＲＦＩＤリーダライタ１が正常に動作するのに最低限必要なバッテリー１７の充電残量（第１所定量）の値を記憶する。ここで、充電残量は、バッテリー１７が出力する電圧の値、バッテリー１７が出力する電流の値、バッテリー１７が出力する電力量の値いずれでもよい。またこれらの組み合わせであってもよい。
【００３２】
また、第２所定量部２０２は、ＲＦＩＤリーダライタ１が上述のように正常に動作し、かつ携帯端末８に対して電力を供給するために最低限必要なバッテリー１７の充電残量（第２所定量）の値を記憶する。ここで、充電残量は、バッテリー１７が出力する電圧の値、バッテリー１７が出力する電流の値、バッテリー１７が出力する電力量の値いずれでもよい。またこれらの組み合わせであってもよい。また、第２所定量は、第１所定量と同一の量であってもよいし、第１所定量より大きな量であってもよい。
【００３３】
次に図４を用いて、携帯端末８におけるメモリ部９０のメモリ構成を示すメモリマップについて説明する。図４において、メモリ部９０は、第３所定量部９０１と第４所定量部９０２を有する。第３所定量部９０１は、携帯端末８が正常に動作するのに最低限必要なバッテリー８７の充電残量（第３所定量）の値を記憶する。ここで、充電残量は、バッテリー８７が出力する電圧の値、バッテリー８７が出力する電流の値、バッテリー８７が出力する電力量の値いずれでもよい。またこれらの組み合わせであってもよい。
【００３４】
また、第４所定量部９０２は、携帯端末８が上述のように正常に動作し、かつＲＦＩＤリーダライタ１に対して電力を供給するために最低限必要なバッテリー８７の充電残量（第４所定量）の値を記憶する。ここで、充電残量は、バッテリー８７が出力する電圧の値、バッテリー８７が出力する電流の値、バッテリー８７が出力する電力量の値いずれでもよい。またこれらの組み合わせであってもよい。また、第４所定量は、第３所定量と同一の量であってもよいし、第３所定量より大きな量であってもよい。また、第１所定量と第３所定量は同一の量であってもよいし、異なる量であってもよい。さらに、第２所定量と第４所定量は同一の量であってもよいし、異なる量であってもよい。
【００３５】
続いて、図５〜図７を用いて、ＲＦＩＤリーダライタ１の制御処理について説明する。図５は、ＲＦＩＤリーダライタ１の機能構成を示す機能ブロック図である。制御部１１が、ＲＯＭ２２やメモリ２０に記憶された制御プログラムを含む各種プログラムに従うことで、第１電力受給手段１１１、第１表示手段１１２、第１電力供給手段１１３として機能する。
【００３６】
第１電力受給手段１１１は、バッテリーの充電残量が所定値以下の場合、装着部に装着された情報処理装置からバッテリーに充電する電力の供給を受ける機能を有する。
【００３７】
第１表示手段１１２は、バッテリーの充電状態が所定値以下の場合、装着部に装着された情報処理装置からバッテリーの充電を促すメッセージを表示する機能を有する。
【００３８】
第１電力供給手段１１３は、バッテリーの充電状態が所定値以上である場合、装着部に装着された情報処理装置からの電力供給要求に対して情報処理装置に電力を供給する機能を有する。
【００３９】
図６および図７は、ＲＦＩＤリーダライタ１の制御処理の流れを示すフローチャートである。図６において、制御部１１は、操作者がトリガスイッチ５がオンされたか否かを判断する（ステップＳ１１）。オンされたと判断した場合は（ステップＳ１１のＹｅｓ）、制御部１１は、放射受信部１５を制御してアンテナ３からＩＣタグに向けて電波を放射する（ステップＳ１２）。そして制御部１１は、放射電波を受信したＩＣタグから、ＩＣタグ情報を含む応答電波を受信したか否かを判断する(ステップＳ１３)。受信したと判断した場合は（ステップＳ１３のＹｅｓ）、制御部１１は、受信したＩＣタグ情報をＲＡＭ２３に記憶する（ステップＳ１４）。
【００４０】
応答電波を受信していないと判断した場合は（ステップＳ１３のＮｏ）、制御部１１は、操作者がトリガスイッチ５がオフされたか否かを判断する（ステップＳ１５）。オフされたと判断した場合は（ステップＳ１５のＹｅｓ）、制御部１１は、放射受信部１５を制御して電波の放射を停止する（ステップＳ１６）。オフされていないと判断した場合は（ステップＳ１５のＮｏ）、制御部１１はステップＳ１１に戻る。
【００４１】
また、ステップＳ１１において、トリガスイッチ５がオンされていないと判断した場合は（ステップＳ１１のＮｏ）、制御部１１は、バッテリー制御処理を実行する（ステップＳ１７）。そして制御部１１はステップＳ１１に戻る。
【００４２】
図７に、ステップＳ１７のバッテリー制御処理を詳細に示す。図７において、制御部１１は、バッテリー制御部１６を制御して、バッテリー１７の充電残量を検出する（ステップＳ２１）。そして制御部１１は、検出したバッテリー１７の充電残量が、第１所定量部２０１に記憶されている第１所定量未満であるか否かを判断する（ステップＳ２２）。第１所定量未満であると判断した場合は（ステップＳ２２のＹｅｓ）、制御部１１（第１表示手段１１２）は、表示部１２に、バッテリー１７の充電残量が、ＲＦＩＤリーダライタ１が正常に動作できない量まで減少していることを示すメッセージを表示する（ステップＳ２３）。
【００４３】
メッセージの例として、バッテリー１７とバッテリー８７が電磁誘導等によって物理的に非接触状態で接電気的に接続されている場合は、「バッテリーの充電残量が不足しています。携帯端末が電力供給可能な場合は充電を開始します」のような表示がされる。また、バッテリー１７とバッテリー８７と有線ケーブルで電気的に接続する場合は、「携帯端末から電力を受給する場合は、至急ＲＦＩＤリーダライタと携帯端末とを接続して充電をしてください」のような表示がされる。
【００４４】
次に制御部１１は、ステップＳ２１で検出したバッテリー１７の充電残量を、バッテリー１７への充電を要求するコマンドとともに、無線通信部１４から携帯端末８の無線通信部８４に送信する（ステップＳ２４）。
【００４５】
要求コマンドを受信した携帯端末８は、バッテリー８７の充電残量を検出し、ＲＦＩＤリーダライタ１に対して電力供給が可能であるか否かを判断する。電力供給可能と判断した場合は、携帯端末８は、電力出力接続部８９から電力入力接続部１９に電力を供給する。この際、非接触でバッテリー１７とバッテリー８７が電気的に接続されている場合は自動的に電力供給を開始する。一方、バッテリー１７とバッテリー８７とを有線で接続する必要がある場合は、操作者は、バッテリー１７とバッテリー８７とを有線ケーブルで接続する。接続したことを判断した携帯端末８は、電力出力接続部８９から電力入力接続部１９に電力を供給する。
【００４６】
制御部１１は、携帯端末８から電力を受給したか否かを判断する（ステップＳ２５）。電力を受給したと判断した場合は（ステップＳ２５のＹｅｓ）、制御部１１（第１電力受給手段１１１）は、受給した電力をバッテリー１７にチャージ（受給）する（ステップＳ２６）。一方、携帯端末８から電力を受給していないと判断した場合は（ステップＳ２５のＮｏ）、制御部１１は、そのまま処理を終了する。
【００４７】
また、ステップＳ２２において、検出したバッテリー１７の充電残量が、第１所定量未満ではないと判断した場合は（ステップＳ２２のＮｏ）、制御部１１は、検出した充電残量が第２所定量部２０２に記憶されている第２所定量以上であるか否かを判断する(ステップＳ２７)。第２所定量以上であると判断した場合は(ステップＳ２７のＹｅｓ)、制御部１１は、表示部１２に、バッテリー１７の充電残量が、携帯端末８に対して電力を供給するだけの充分な量が存在していることを示すメッセージを表示する（ステップＳ２８）。例えば、制御部１１は、「携帯端末を充電することは可能です」のような表示をする。
【００４８】
次に制御部１１は、携帯端末８から、後述のステップＳ４４の処理によって送信された、携帯端末８の充電残量と、携帯端末８への充電を要求するコマンドを受信したか否かを判断する（ステップＳ２９）。受信したと判断した場合は（ステップＳ２９のＹｅｓ）、制御部１１（第１電力供給手段１１３）は、バッテリー制御部１６を制御して、電力出力接続部１８から携帯端末８の電力入力接続部８８に対し、バッテリー１７から電力を供給する（ステップＳ３０）。
【００４９】
なお、ステップＳ２７において、検出した充電残量が第２所定量以上ではないと判断した場合（ステップＳ２７のＮｏ）、制御部１１はステップＳ１１に戻る。また、ステップＳ２９において、携帯端末８の充電残量と、携帯端末８への充電を要求するコマンドを受信していないと判断した場合は（ステップＳ２９のＮｏ）、制御部１１はステップＳ１１に戻る。
【００５０】
このような実施形態では、ＲＦＩＤリーダライタ１のバッテリー１７の充電残量が第１所定量未満になった場合、制御部１１は、携帯端末８のバッテリー８７から電力を受給する。そのため、ＲＦＩＤリーダライタ１は動作を継続することができる。
【００５１】
また、実施形態では、ＲＦＩＤリーダライタ１のバッテリー１７の充電残量が第１所定量未満になった場合、制御部１１は、バッテリーの充電残量が減少し、ＲＦＩＤリーダライタ１が正常に動作できないことを示すメッセージを表示する。そして、メッセージを見た操作者は、有線ケーブルによってＲＦＩＤリーダライタ１と携帯端末８とを電気的に接続し、携帯端末８から電力を受給する。これによって、ＲＦＩＤリーダライタ１は動作を継続することができる。
【００５２】
また、実施形態では、ＲＦＩＤリーダライタ１のバッテリー１７の充電残量が第２所定量以上である場合、制御部１１は、携帯端末８に対して電力を供給する。
【００５３】
続いて、図８および図９を用いて、携帯端末８の制御処理について説明する。図８は、携帯端末８の機能構成を示す機能ブロック図である。制御部８１が、ＲＯＭ９２やメモリ部９０に記憶された制御プログラムを含む各種プログラムに従うことで、第２電力受給手段８１１、第２表示手段８１２、第２電力供給手段８１３として機能する。
【００５４】
第２電力受給手段８１１は、バッテリーの充電残量が所定値以下の場合、ＩＣタグ読取装置からバッテリーに充電する電力の供給を受ける機能を有する。
【００５５】
第２表示手段８１２は、バッテリーの充電状態が所定値以下の場合、ＩＣタグ読取装置からバッテリーの充電を促すメッセージを表示する機能を有する。
【００５６】
第２電力供給手段８１３は、バッテリーの充電状態が所定値以上である場合、ＩＣタグ読取装置からの電力供給要求に対してＩＣタグ読取装置に電力を供給する機能を有する。
【００５７】
図９は、携帯端末８のバッテリー制御処理を詳細に示す。図９において、制御部８１は、バッテリー制御部８６を制御して、バッテリー８７の充電残量を検出する（ステップＳ４１）。そして制御部８１は、検出したバッテリー８７の充電残量が、第３所定量部９０１に記憶されている第３所定量未満であるか否かを判断する（ステップＳ４２）。第３所定量未満であると判断した場合は（ステップＳ４２のＹｅｓ）、制御部８１（第２表示手段８１２）は、表示部８２に、バッテリー８７の充電残量が、携帯端末８が正常に動作できない量まで減少していることを示すメッセージを表示する（ステップＳ４３）。
【００５８】
メッセージの例として、バッテリー８７とバッテリー１７が電磁誘導等の物理的に非接触状態で接電気的に接続されている場合は、「バッテリーの充電残量が不足しています。ＲＦＩＤリーダライタが電力供給可能な場合は充電を開始します」のような表示がされる。また、バッテリー８７とバッテリー１７と有線ケーブルで接続する場合は、「ＲＦＩＤリーダライタから電力を受給する場合は、至急携帯端末とＲＦＩＤリーダライタとを接続して充電をしてください」のような表示がされる。
【００５９】
次に制御部８１は、ステップＳ４１で検出したバッテリー８７の充電残量を、バッテリー８７への充電を要求するコマンドとともに、無線通信部８４からＲＦＩＤリーダライタ１の無線通信部１４に送信する（ステップＳ４４）。
【００６０】
要求コマンドを受信したＲＦＩＤリーダライタ１は、バッテリー１７の充電残量を検出し、携帯端末８に対して電力供給が可能であるか否かを判断する。電力供給が可能と判断した場合は、電力出力接続部１８から電力入力接続部８８に電力を供給する。この際、非接触でバッテリー１７とバッテリー８７が電気的に接続されている場合は自動的に電力供給を開始する。一方、バッテリー１７とバッテリー８７とを有線で接続する必要がある場合は、操作者は、バッテリー１７とバッテリー８７とを有線ケーブルで電気的に接続する。電気的に接続したことを判断したＲＦＩＤリーダライタ１は、電力出力接続部１８から電力入力接続部８８に電力を供給する。
【００６１】
制御部８１は、ＲＦＩＤリーダライタ１から電力を受給したか否かを判断する（ステップＳ４５）。電力を受給したと判断した場合は（ステップＳ４５のＹｅｓ）、制御部８１（第２電力受給手段８１１）は、受給した電力をバッテリー８７にチャージ（受給）する（ステップＳ４６）。そして制御部８１は、ステップＳ４１に戻る。一方、ＲＦＩＤリーダライタ１から電力を受給していないと判断した場合は（ステップＳ４５のＮｏ）、制御部８１は、ステップＳ４１に戻る。
【００６２】
また、ステップＳ４２において、検出したバッテリー８７の充電残量が、第３所定量未満ではないと判断した場合は（ステップＳ４２のＮｏ）、制御部８１は、検出した充電残量が第４所定量部９０２に記憶されている第４所定量以上であるか否かを判断する(ステップＳ４７)。第４所定量以上であると判断した場合は(ステップＳ４７のＹｅｓ)、制御部８１は、表示部８２に、バッテリー８７の充電残量が、ＲＦＩＤリーダライタ１に対して電力を供給するだけの充分な量が存在していることを示すメッセージを表示する（ステップＳ４８）。例えば、制御部８１は、「携帯端末を充電することは可能です」のような表示をする。
【００６３】
次に制御部８１は、ＲＦＩＤリーダライタ１から、ステップＳ２４の処理によって送信された、ＲＦＩＤリーダライタ１の充電残量と、ＲＦＩＤリーダライタ１への充電を要求するコマンドを受信したか否かを判断する（ステップＳ４９）。受信したと判断した場合は（ステップＳ４９のＹｅｓ）、制御部８１（第２電力供給手段８１３）は、バッテリー制御部８６を制御して、電力出力接続部８９からＲＦＩＤリーダライタ１の電力入力接続部１９に対し、バッテリー８７から電力を供給する（ステップＳ５０）。そして制御部８１は、ステップＳ４１に戻る。
【００６４】
なお、ステップＳ４７において、検出した充電残量が第４所定量以上ではないと判断した場合（ステップＳ４７のＮｏ）、制御部８１はステップＳ４１に戻る。また、ステップＳ４９において、ＲＦＩＤリーダライタ１の充電残量と、ＲＦＩＤリーダライタ１への充電を要求するコマンドを受信していないと判断した場合は（ステップＳ４９のＮｏ）、制御部８１はステップＳ４１に戻る。
【００６５】
このような実施形態では、携帯端末８のバッテリー８７の充電残量が第３所定量未満になった場合、制御部８１は、ＲＦＩＤリーダライタ１のバッテリー１７から電力を受給する。そのため、携帯端末８は動作を継続することができる。
【００６６】
また、実施形態では、携帯端末８のバッテリー８７の充電残量が第３所定量未満になった場合、制御部８１は、バッテリーの充電残量が減少し、携帯端末８が正常に動作できないことを示すメッセージを表示する。そして、メッセージを見た操作者は、有線ケーブルによって携帯端末８とＲＦＩＤリーダライタ１とを接続し、ＲＦＩＤリーダライタ１から電力を受給する。これによって、携帯端末８は動作を継続することができる。
【００６７】
また、実施形態では、携帯端末８のバッテリー８７の充電残量が第４所定量以上である場合、制御部８１は、ＲＦＩＤリーダライタ１に対して電力を供給する。
【００６８】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００６９】
例えば、実施形態では、ＩＣタグ装置としてＲＦＩＤリーダライタを用いたが、ＲＦＩＤリーダライタ以外のＩＣタグ読取装置であってもよい。
【００７０】
なお、実施形態のＲＦＩＤリーダライタ１や携帯端末８で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００７１】
また、実施形態のＲＦＩＤリーダライタ１や携帯端末８で実行されるプログラムを、インターネット等のネットワークに接続されたコンピュータ上に格納し、ネットワーク経由でダウンロードさせることにより提供するように構成してもよい。また、実施形態のＲＦＩＤリーダライタ１や携帯端末８で実行されるプログラムをインターネット等のネットワーク経由で提供または配布するように構成してもよい。
【００７２】
また、実施形態のＲＦＩＤリーダライタ１や携帯端末８で実行されるプログラムを、ＲＯＭ等に予め組み込んで提供するように構成してもよい。
【符号の説明】
【００７３】
１  ＲＦＩＤリーダライタ
１１  制御部
１７  バッテリー
８  携帯端末
８１  制御部
８７  バッテリー
１１１  第１電力受給手段
１１２  第１表示手段
１１３  第１電力供給手段
８１１  第２電力受給手段
８１２  第２表示手段
８１３  第２電力供給手段
【先行技術文献】
【特許文献】
【００７４】
【特許文献１】特開２０１１−００８６１６号公報
【図１】
2016040982.tif 000003
【図２】
2016040982.tif 000004
【図３】
2016040982.tif 000005
【図４】
2016040982.tif 000006
【図５】
2016040982.tif 000007
【図６】
2016040982.tif 000008
【図７】
2016040982.tif 000009
【図８】
2016040982.tif 000010
【図９】
2016040982.tif 000011